(57)【要約】      （修正有）【課題】緊急時に枕元から外部へ連絡がとれる緊急救援ボックスを提供する。【解決手段】スイッチの押下に応じて点灯する点滅式赤ランプ及び鳴動するブザーと、部屋の鍵と本人の健康診断書、親戚の連絡先を保管する筒を備える。【選択図】図１
0003175451.tif 000002
【実用新案登録請求の範囲】
【請求項１】
この本体を外壁に取り付け、ベツドからスイチを押す、  發信するＳＯＳにより赤いランプが点灯する
同時にブザが鳴る、又この筒の中に部屋の鍵と本人の健康診断書・親戚の連絡先が保管してある
この商品は軽量で安全性さらに低価格が求められるものである、これらが特徴である。
【考案の詳細な説明】
【技術分野】
【０００１】  本孝案は、鉄パイブにランブとブザをとりつけ、更にバイブの中に鍵と緊急救援カードを入れ両端を閉ざす
【背景技術】
【０００２】この団地のなかで、３ケ年間に孤独死が３名もでた、この人々や又病弱で一人暮らしの人を助けるには。ベッドの枕元からＳＯＳを発信させ、外部の助けをもとめる以外にない
【考案の概要】
【考案が解決しようとする課題】
【０００３】この設備は自治会、町内会、防災部会らの団体が責極的に取り組みされることを願っています、本体は丈夫で軽量である
【課題を解決するための手段】
【０００４】日本の社会は益々高齢化が進み更に核家族になってゆき一人暮らしの人が増えています、この人達を、緊急なときに救えるのは、枕元からＳＯＳを発信して外部との連絡を取る方法です、又鍵やプライバシンを守る緊急救援カードは厳重な鍵でまもられている。
【考案の効果】
【０００５】本考案緊急救援器を一人暮らしの宅に取り付けた、するとその便利性と安心性が確保できたと大喜びであった、この商品を低価格で製作して、必要な人々全員に取り付け、役に立ちたいと思う
【図面の簡単な説明】
【０００６】
【図１】本考案緊急救援一実施例を示す正面図である。
【図２】本考案の立体図である
【考案を実施するための形態】
【０００７】ブザと点滅式ランプの役割が大いため、１００Ｖ一般家庭用電気を使用する、電気器具は全て既存の日本工業規格のものを使用する、
両サイド蓋はその一方を接着いたし、もう一方を南京錠で固定する、盗難防止につとめる。
【実施例】
【０００８】この考案の主な資材は既存の鉄パイプを使用し。パイプの上面は焼付け塗装したものを使う、従って強力性と耐久性に優れた資材である。
本体の取り付け工事はコンクリート壁に穴をあけアンカボルトで固定する。
【符号の説明】
【０００９】１    本体を壁に取り付ける金具とボルト
２    ブザ
３    点滅式赤ランプ（８ｗ）
４    緊急救援カード入れ
５    部屋の鍵
６    南京錠
７    枕元で押すスイチ
８    両面のふた
【図１】
0003175451.tif 000003
【図２】
0003175451.tif 000004
【手続補正書】
【提出日】平成23年7月6日(2011.7.6)
【手続補正１】
【補正対象書類名】実用新案登録請求の範囲
【補正対象項目名】全文
【補正方法】変更
【補正の内容】
【実用新案登録請求の範囲】
【請求項１】
緊急救援ボックスは人間の「孤独死」や「孤独事故」から守るために考案したものです、
特に一人暮らしの老人が、椅子につまずき大怪我した場合
又急に体に変調が起きた時、日頃より枕元やベッドに備えてある「緊急救援ボックス」用の非常ボタンを押す。
すると外壁に取り付けてある「緊急救援ボックス」が作動する、まず赤ランプが点灯して外部の人にＳＯＳを知らせる。
更にブザが鳴り響き、緊急事態を廻りの人々に知らせる、
ＳＯＳを知った近場の人が、防犯用についている南京錠を開け、「緊急救援ボックス」中に備えある部屋の鍵と緊急救援カードを取り出し、そうして中の様子を見る，その対象者の様子によって１１９番へ電話して緊急車を呼びその乗務の人に「緊急救援カード」の健康診断用を渡す。
一方の連絡先用から親戚や友人に連絡する．この「緊急救援ボックス」により人々の生命を救うことができればこんな素晴らしいものはない、更に地震や火災の災害からも守ることができる。
【手続補正書】
【提出日】平成23年9月9日(2011.9.9)
【手続補正１】
【補正対象書類名】実用新案登録請求の範囲
【補正対象項目名】全文
【補正方法】変更
【補正の内容】
【実用新案登録請求の範囲】
【請求項１】
緊急救援ボックスは全長２５０ｍ  ｍ、長径２５ｍ  ｍの円柱の鉄パイブを主材料として加工したものである。この円柱の中に電気配線された点滅赤ランプと鳴動するブザを固定させる。
また一方には部屋の鍵と本人の健康診断鉦、親戚等の緊急連絡先が明記されたカードが円柱の中に保管される。
両サイドに蓋をして、外部からの事故を防止するために頑丈な南京錠を取り付ける。
外部からよく見える入口付近の外壁に緊急救援ボックスをボルトで止め固定する。  今日の高齢化社会の中で一人暮らしには大変危険があります、例えば地震が起きたとき、火災が発生したとき、急に重い病気になったとき、突発事故が起きたときなどの場合定時枕元やベッドに設置されている『非常用ボタン｝を押すと外部の緊急救援ボックスの点滅赤ランブとブザが鳴動する。
このＳＯＳにきずき対応が始まる、  必要に応じて１１９番して緊急車を呼ぶ、親戚等に連絡する。
このように緊急救援ボックスは弱者に大きく貢献できるものである。
【手続補正書】
【提出日】平成23年11月30日(2011.11.30)
【手続補正１】
【補正対象書類名】実用新案登録請求の範囲
【補正対象項目名】全文
【補正方法】変更
【補正の内容】
【実用新案登録請求の範囲】
【請求項１】
『緊急援助ボツクス」は円柱の直径２８ｍｍ、全長２５０ｍｍの焼付け塗装された鉄パイブを主な材料して使用する、この鉄パイブ（筒とする）を左と右に分けて加工する。
まず、右側半分（１２５ｍｍ）の筒に直径１７ｍｍの穴を開けて、電球用のソケットを取り付ける、その横に２０ｍｍの穴を開けてブザの器具を取り付ける。そうして電球用ソケット電線とブザ用の電線をジョイントさせる、その端末の電線を外部に出す、これで筒の右側は完成のため接着剤を使って蓋をする。
左側半分の筒には、部屋の鍵・本人の健康診断証・親戚友人等の連絡先が明記されたカードをビニルの袋に包み、筒の中に入れて固定する。左側の入口に蓋をして南京鍵で固定させる。外部からの被害から守るため頑固な南京鍵をとりつける、完成した製品を家の中で一番目立つ玄関の壁に穴を開けボルトで固定する。最後に家庭内の１００Ｖ電気を利用して筒の電線と直結する、更に非常用スイチが在る所間で配線して直結する、これで全て完成である。
高齢者の一人暮らし世帯が大変多くなっている中で、地震が発生したとき、火災が起きたとき、急な病に襲われた時などの場合、一人ではなんにもできない
そこで最も役立つのが、「緊急救助システム」である枕もとやベットに備えつけてある「ボタン」を押すと・外部に取りつけてある点滅式赤ランプが点灯する、更にブザが鳴る、このＳＯＳを聞き人々が集り、事故が解決される。。
【手続補正書】
【提出日】平成24年2月16日(2012.2.16)
【手続補正１】
【補正対象書類名】実用新案登録請求の範囲
【補正対象項目名】全文
【補正方法】変更
【補正の内容】
【実用新案登録請求の範囲】
【請求項１】
外壁に取り付ける緊急救援ボックスであって、スイッチの押下に応じて点灯する点滅式赤ランプ及び鳴動するブザーと、部屋の鍵と本人の健康診断書・親戚の連絡先を保管する筒を備えたことを特徴とする緊急救援ボックス。